(57)【特許請求の範囲】
【請求項１】
中間の折目（３）を介して折畳み可能な少なくとも一対の板状又はシート状の左右のカバー部（２ａ，２ｂ）を有し、
該カバー部（２ａ，２ｂ）の重ね合わせ面の定位置にカード（７）を挟み込んだ状態で上記重ね合わせ面のカード（７）の外周ののり付部（６）を接着して上記カバー部（２ａ，２ｂ）内にカード（７）を封入したカード類のパッケージにおいて、
上記のり付部（６）の内周縁からカード（７）の外周縁に至る位置にカード（７）の外周に沿ったミシン目（９，１１）を入れ、
該ミシン目（９，１１）に沿ってカバー部の外周縁を切離すことにより、封入されたカードを取出す構造とし、
前記のり付部（６）を、折畳み前の一対のカバー部（２ａ，２ｂ）の上下左右の周縁部と、中間の折目（３）を含み且つ該折目（３）に沿う帯状の領域とに設け、
前記ミシン目（９，１１）を、折畳み状態のカバー部（２）の上下端側と、左右の折目（３）と反対側の端である開閉端側とに形成した
カード類のパッケージ。
【請求項２】
請求項１に記載のカード類のパッケージ（１）を製造するに当り、折畳み状態のカバー部（２）の一対の相対する２辺ののり付部（６）を一対のローラー（２８）で転圧してドライ圧着した後、カバー部（２）に対する転圧方向を９０°回転させて他方の相対する２辺ののり付部（６）を一対のローラー（２８）で転圧してドライ圧着する
カード類のパッケージ方法。
【請求項３】
パッケージ（１）を搬送ライン（４１）上で搬送する過程でカバー部（２）の２組の相対する辺の転圧を２回に分けて行う方法であって、
搬送ライン（４１）の搬入側で一対のローラー（２８）で転圧し、搬送下流の搬出側で他の一対のローラー（２８）で転圧してカバー部（２）の四辺のドライ圧着を行う
請求項２に記載のカード類のパッケージ方法。
【請求項４】
請求項３に記載のパッケージ方法の実施に使用する装置であって、
搬送ライン（４１）の搬入側と搬出側に第１圧着部（４２）と第２圧着部（４３）を設け、該第１圧着部（４２）と第２圧着部（４３）のそれぞれに搬送方向に沿って回転する一対の転圧用のローラー（２８）を設け、
上記第１圧着部（４２）と第２圧着部（４３）の間にカバー部（２）の向き又は搬送方向を第２圧着部（４３）の転圧方向に適合させるように変更する方向転換部（４４）を設けてなる
カード類のパッケージ装置。
【請求項５】
請求項２又は３のいずれかに記載のカード類のパッケージ方法に使用する装置であって、
一対のローラー（２８）が回転軸（２６）に外装して軸支され、
上記ローラー（２８）の回転軸（２６）上の間隔を折畳み状態のカバー部（２）の相対向し合うのり付部（６）の間隔に合わせて調節する調節装置（３１）を設けてなる
カード類のパッケージ装置。
【発明の詳細な説明】
【技術分野】
【０００１】
この発明は各種のデータや情報を記憶させたカード，メッセージその他の情報を表示したカード等の各種のカード類をカード発行者側から末端のユーザー又は名宛人等に届けるためのカード類のパッケージとパッケージ方法及び装置に関する。
【背景技術】
【０００２】
従来プリペイドカードをはじめとする各種情報を記憶させ又は表示したカード類を末端ユーザーや贈り先等の名宛人に届けるためのパッケージとしては、特許文献１，２に示すものが知られている。
このうち特許文献１に示すものは、プリペイドカード３を背面材１３と覆い１５とで挟んでその外周の重ね合わせ面を剥離可能にのり付したものである。
また特許文献２に示すものは、２つ折りされたカバー部（左部分２０，中央部分３０）内にプリペイドカード６０を挟み込んでカバー部の重ね合わせ面を接着する（図１〜５，段落００１６参照）技術が示され、カード６０と重なり合う左部分２０の上下には切断（開封）用のミシン目５２が左右方向に形成されている。
【先行技術文献】
【特許文献】
【０００３】
【特許文献１】米国特許第５７７７３０５号明細書
【特許文献２】特表２００８−５２９８６４号公報
【発明の概要】
【発明が解決しようとする課題】
【０００４】
しかし上記特許文献１の発明は、カードを挟み込んだカバー（台紙）の周縁を剥離可能に簡易的に接着しているので、最終受取人の手元に届く過程で誤って剥離する場合がある。
また特許文献２の発明では、上下２箇所のみの接着であるために折畳むカバー部（左部分２０，中央部分３０）の他に、一方の開閉端側に右部分４０を折畳み可能に設ける必要があり、材料取りや接着加工時の工数も増し、全体としてコスト高になる欠点がある。
【課題を解決するための手段】
【０００５】
上記課題を解決するための本発明に係るカード類のパッケージは、中間の折目３を介して折畳み可能な少なくとも一対の板状又はシート状の左右のカバー部２ａ，２ｂを有し、該カバー部２ａ，２ｂの重ね合わせ面の定位置にカード７を挟み込んだ状態で上記重ね合わせ面のカード７の外周ののり付部６を接着して上記カバー部２ａ，２ｂ内にカード７を封入したカード類のパッケージにおいて、上記のり付部６の内周縁からカード７の外周縁に至る位置にカード７の外周に沿ったミシン目９，１１を入れ、該ミシン目９，１１に沿ってカバー部の外周縁を切離すことにより、封入されたカードを取出す構造とし、前記のり付部６を、折畳み前の一対のカバー部２ａ，２ｂの上下左右の周縁部と、中間の折目３を含み且つ該折目３に沿う帯状の領域とに設け、前記ミシン目９，１１を、折畳み状態のカバー部２の上下端側と、左右の折目３と反対側の端である開閉端側とに形成したことを特徴としている。
【０００６】
本発明に係るカード類のパッケージ方法は、前記に記載のカード類のパッケージ１を製造するに当り、折畳み状態のカバー部２の一対の相対する２辺ののり付部６を一対のローラー２８で転圧してドライ圧着した後、カバー部２に対する転圧方向を９０°回転させて他方の相対する２辺ののり付部６を一対のローラー２８で転圧してドライ圧着することを特徴としている。
【０００７】
また、パッケージ１を搬送ライン４１上で搬送する過程でカバー部２の２組の相対する辺の転圧を２回に分けて行う方法であって、搬送ライン４１の搬入側で一対のローラー２８で転圧し、搬送下流の搬出側で他の一対のローラー２８で転圧してカバー部２の四辺のドライ圧着を行うものとしてもよい。
【０００８】
本発明に係るカード類のパッケージ装置は、前記に記載のパッケージ方法の実施に使用する装置であって、搬送ライン４１の搬入側と搬出側に第１圧着部４２と第２圧着部４３を設け、該第１圧着部４２と第２圧着部４３のそれぞれに搬送方向に沿って回転する一対の転圧用のローラー２８を設け、上記第１圧着部４２と第２圧着部４３の間にカバー部２の向き又は搬送方向を第２圧着部４３の転圧方向に適合させるように変更する方向転換部４４を設けてなることを特徴としている。
【０００９】
また、前記に記載のカード類のパッケージ方法に使用する装置であって、一対のローラー２８が回転軸２６に外装して軸支され、上記ローラー２８の回転軸２６上の間隔を折畳み状態のカバー部２の相対向し合うのり付部６の間隔に合わせて調節する調節装置３１を設けてなるものとしてもよい。
【発明の効果】
【００１０】
以上のように構成される本発明は、折畳み状態のカバー部の周縁部に形成されたのり付部の枠状の内側にミシン目を設けているので、ミシン目を切離すことによりのり付部が切離して除去され、その内側のカバー部内のカードを簡単に取出すことができ、のり付部は剥離する必要がないので強力な接着をすることができる利点があり、パッケージ自体の取扱い中のカード情報の保護（機密保持）も十分に行うことができる。
【図面の簡単な説明】
【００１１】
【図１】本発明のカードパッケージの表面側の展開図である。
【図２】本発明のカードパッケージの内面側の展開図である。
【図３】本発明のパッケージの圧着作業に用いる転圧装置である。
【図４】圧着用転圧装置の側面図である。
【図５】本発明のパッケージ装置の搬送（圧着）ラインへの配置図である。
【図６】（Ａ），（Ｂ）はパッケージの圧着時の転圧方向の直進時と平面視９０°回転させた転圧方向を示す平面図である。
【図７】パッケージ完了後のパッケージの拡大中央横断面図である。
【図８】本発明のパッケージ装置の圧着装置の他の実施形態を模視的に示す正面図である。
【発明を実施するための形態】
【００１２】
以下図示する本発明に係るパッケージとそのパッケージ方法及び装置の実施形態につき詳述する。
図１，図２は本発明に係るカード類のパッケージの貼り合わせ前の表面側と図面側の展開図を示し、パッケージ１の外側は一定の剛性を備えた紙製又はプラスチック製の長方形又は正方形の板状又はシート状のカバー部２の中間に、上下方向の折目３を備えた左右対称で折畳み可能な左右のカバー部２ａ，２ｂからなっている。左右のカバー部２ａ，２ｂの上縁中央の対称位置には吊下げ孔４が形成されている。
【００１３】
図２に示すように左右のカバー部２ａ，２ｂの折畳み側内面（重ね合わせ面）の外周縁と折目３の左右両側には、帯状で且つ枠状にのり付されたのり付部６が左右対称形に形成されており、折目３を介して左右のカバー部２ａ，２ｂを内側に折畳んだ状態で、後述するようにドライ圧着することにより表裏一体に接着される。のり付部６に塗布されるのりとしては、加熱が不要で且つ加圧により接着力が増す（生じる）感圧のり（感圧接着剤）が使用され、これによってドライ圧着が行われる。
【００１４】
感圧のりは、加熱せずに、圧力を作用させるのみによって、活性化し、接合部同士を接着させるものであり、その組成は、従来公知であるため、詳細は割愛するが、例えば、天然ゴム、合成ゴム等の従来一般に使用されている非剥離性接着剤を基剤とし、この基剤に対して非親和性を示す微粒状充填剤を、該基剤に配合してなる剥離可能な感圧接着剤を用いてもよい。
【００１５】
上記のり付部６によって囲まれた左右のカバー部２ａ，２ｂの略中央位置には、左カバー部２ａ側に後述するカード７が剥離可能な公知の不乾のり等によって位置決め固定されており、右カバー部２ｂ側にはカード７の最終ユーザー等にカードに関する説明書又は何らかのメッセージ等が記載された説明書８がカード７と同様に位置決め固定されている。
【００１６】
上記カード７及び説明書８の外周縁と展開状態でののり付部６の上下左右の内周位置又は内周縁との間には、カバー部２の周縁と平行な切断用のミシン目９，１１が形成され、のり付部６の圧着によって密閉されたカード７及び説明書８を開封する際に、のり付部６がミシン目９，１１で切離される構造になっている。カード７及び説明書８の密封状態は図７に示される。
【００１７】
ちなみに、折目３にも、ミシン目が形成され、これによって折畳みが容易になる他、切離しが可能になる。
【００１８】
また、この実施形態では、右側カバー部２ｂの内面中央には、ここに収納固定される説明書８を囲む長方形の枠を形成するようにエンボス加工（エンボス加工部）１２が形成され、このエンボス加工部１２は、説明書８及び左カバー２ａ側のカード７のサイズより大きいサイズに形成することにより、一定範囲内で説明書８の厚みやカード７の厚み及び枚数の制約を受けることなく収容できる利点があるほか、パッケージ１の表紙（左カバー２ａの表面）の装飾を兼ねることができる。
【００１９】
図示する例ではカード７は左カバー部２ａの表面上端に金額類の内容表示部１３に示されるようにプリペイドカードである。そしてパッケージ１の裏面には（プリペイド）カード７を特定するバーコードからなる識別情報（表示）部１４が表示され、この識別情報部１４と関連付けられた番号その他の表示からなる関連表示部１６がカード７側に表示されている。
【００２０】
また右カバー部２ｂには、上記カード７の関連表示部１６がパッケージ状態で透視できる透視孔１７が形成されている。上記識別情報部１４はバーコードに限らず磁気記憶部，情報記憶チップ等でもよく、識別表示部１６とは別に店頭等換金又は支払時に情報読み取り対象となる情報（表示）部（図示しない）を設けてもよい。
【００２１】
このカード７の使用方法等について説明すると、識別情報部１４に記載された情報と、関連表示部１６に記載された情報とは、両者を印刷する時点で、関連付けされており、購入時等に、識別情報部１４の情報（具体的にはバーコード）を利用して、関連表示部１６に記載された情報（具体的には、コード情報）を利用可能とするアクティベーション処理を実行され、このアクティベーションの情報が、該コード情報と共に、情報処理サーバに記憶される。ちなみに、情報処理サーバは、コード情報を、利用可能な金額（図示する例では、２０，０００円）と関連付けして、記憶装置に、記憶している。
【００２２】
アクティベーション処理されたコード情報と関連付けされた金額情報は、リアル店舗やウェブサイト上で、関連表示部１６の符号やナンバー等を入力することにより通常のお金と同様に使用できる仮想マネーであり、その仮想マネーを使用して買い物を行うと、情報処理サーバの記憶装置において、上記コード情報等と共に記憶している現残高から、購入金額が減算され、新たな残高として、記憶される。
【００２３】
なお、コード情報と、残高情報とを常に関連付けして、情報処理サーバの記憶装置等に記憶させる必要はなく、利用者毎に、仮想マネーを入金しておく仮想口座の情報を記憶しておく記憶領域を、情報処理サーバの記憶装置等に確保し、上記コード情報に対応した金額を、仮想口座に入金するようにしてもよい。
【００２４】
ちなみに、前記カバー部２は、プレス加工等によって、展開時の形状に型抜きされるが、この型抜きされる前の紙製又は合成樹脂製等のシート状又は板状の基材における対応箇所に、感圧のりが塗布されるとともに、印刷が施される。この他、型抜きの時に、併せて、ミシン目３，９，１１の形成も行われる。
【００２５】
次に本発明のパッケージの圧着方法と圧着するための装置につき図３〜５に基いて説明する。
図３，図４はパッケージ装置の要部である圧着装置の正面図及び側断面図を示し、左右のフレーム２１，２２の間には大径のローラー軸２３を中間部に備え、両端に支持軸２４を備えた回転軸２６が軸受部２９を介して回転自在に軸支されており、支持軸２４の一端にはスプロケット又はギヤー等からなる回転入力部２７が軸装されている。
【００２６】
そして上記ローラー軸２３の外周には一対のリング状の転圧ローラー２８がローラー軸２３と一体回転するように嵌合されており、該転圧ローラー２８の少なくとも一方は左右にスライド調節され、ローラー間隔を調節できる機構となっている。この例では左右の転圧ローラー２８は同時にスライド移動可能に構成されており、ローラー軸２３はスプライン又はキー（いずれも図示しない）等によって転圧ローラー２８は軸方向移動可能に且つ一体回転できる機構となっている。
【００２７】
また上記一対の転圧ローラー２８の間隔調節装置３１は、前記ローラー軸２３と平行にフレーム２１，２２間に軸支される左右逆ねじのスクリュー軸３２と、その中央に軸装され左右のスクリュー軸３２を手動又は動力駆動により一体回転させる回転入力部３３（図示する例は手動ハンドル）と、左右のスクリュー軸３２にねじ込み軸装されてスクリュー軸３２の回転によって互いに反対方向に軸方向移動させられるスライダー３４と、各スライダー３４に取付けられ、左右の転圧ローラー２８を左右両側から摺動可能に把持して位置決めする把持孔３６とを備えている。把持孔３６は転圧ローラー２８の側面に摺接するので、ローラー２８の回転を妨げることはない。
【００２８】
上記転圧ローラー２８の下側には、パッケージ１を、転圧ローラー２８による送り方向と同一の方向に搬送する搬送コンベア３７が設置されている。該パッケージ１は、転圧ローラー２８（ローラー軸２３）と、搬送コンベア３７の搬送ベルト３７ａとの間に弾力的に挟み込まれ、自身ののり付部６が圧着された状態で、送り出される。このため、転圧ローラー２８による送り速度と、搬送コンベア３７による送り速度とは、同一又は略同速度に設定されている。
【００２９】
ちなみに、転圧ローラー２８からの下方圧力を受止めるため、搬送ベルト３７ａを内側から支持する遊転ローラー（支持ローラー）３７ｂを、転圧ローラー２８の直下に配置してもよく、この遊転ローラー３７ｂによって、転圧ローラー２８からの荷重が受止められる。
【００３０】
なお、搬送コンベア３７の代りに転圧ローラー２８と平行な受けローラー（図示しない）をフレーム２１，２２間に軸支して、受けローラー周面と転圧ローラー２８とによって転圧を行う機構であってもよい。
【００３１】
尚、上記装置では、転圧ローラー２８を搬送コンベア３７側に弾力的に押接するために、左右のフレーム２１，２２には支持軸２４を下向きに且つ弾力的に押圧するエアシリンダ又はスプリング等からなる押圧装置３０を設けている。その結果、搬送コンベア３７上のパッケージ１はドライ圧着時には、ローラー軸２６及び転圧ローラー２８の自重を超えた押圧力を得ることができ、この場合支持軸２３は一定範囲で上下移動調節可能に支持する必要がある。
【００３２】
図５は本発明のパッケージ装置の搬送（圧着）ラインへの配置図を示し、この例ではパッケージ１を搬送ライン４１上で搬送する過程でカバー部２の２組の相対する２辺の転圧を２回に分けて行い、搬送ライン４１の搬入側（カバー部２の供給側）に第１圧着部４２を設け、搬出側（カバー部２の排出側）に第２圧着部４３を設けており、両圧着部４２，４３の中間（搬送ライン４１の中間）には、折畳み状態のカバー部２の向き又は搬送方向を転換する方向転換部４４が設けられている。上記第１，第２の圧着部４２，４３にはそれぞれ前述した圧着装置が配置され、各位置でのり付部６の圧着が行われる。
【００３３】
方向転換部４４の前後には前後の搬送ライン４１ａ，４１ｂが設けられており、第１，第２の圧着部４２，４３にはカバー部２の前後、左右の各のり付部６の幅に対応した幅の一対のローラー２８を備えた図３，図４の圧着装置が圧着方向（搬送方向）に即してそれぞれ配置されている。図示する例では方向転換部４４には最初の圧着部４２で圧着されたカバー部２を搬送ライン４１中で平面視で９０°転回させるように互に逆方向回転する転回ローラー４４ａ，４４ｂが配置されている。
【００３４】
また、この例では前後の搬送ライン４１ａ，４１ｂは方向転換部４４を介して直線的に並設されており、各ライン４１ａ，４１ｂの左側にはそれぞれ直線状の搬送ガイド４６が配置され、その右側には先端が搬送ガイド４６に向って交差する方向に傾斜させて搬送ベルト等からなる搬送帯４７が配置されている。上記構成により、パッケージ１は前後の各ライン４１ａ，４１ｂにおいても常に搬送ガイド４６に沿った姿勢を保って搬送され、且つパッケージ１は方向転換部４４の前後を通じて左右及び上下の各辺ののり付部６において確実に圧着加工される。
【００３５】
尚、上記方向転換部４４の転回角度は前後の搬送ライン４１，４１ｂの接続角度によって異なり、例えば両ラインが９０°に交差している場合は、第２圧着部４３のローラー２８の向きに合わせて搬送方向のみを９０°転回すれば足りる。またパッケージ１の転回は転回ローラー４４ａ，４４ｂの代りに例えばパッケージ１を転回しながら姿勢変換するターンテーブル（図示しない）等によることもできる。
【００３６】
図６（Ａ），（Ｂ）は、上記転圧ローラー２８によってパッケージ１の左右辺と上下辺を転圧する状態をそれぞれ示す平面図で、図６（Ａ）の左右辺ののり付部６を転圧する場合の調整は転圧ローラー２８の幅を左右辺ののり付部６の幅（間隔）に合わせて調節装置３１によって調整して行う。
【００３７】
他方、パッケージ１の上下辺ののり付部６を転圧する場合は、転圧ローラー２８の間隔を上下辺ののり付部６の間隔に合わせて調節した後に転圧して圧着する。図６（Ｂ）の転圧を行う場合は、パッケージ１に対する転圧角度を平面視で９０°回転させることによって、パッケージ１の上下左右の各辺ののり付部６の圧着を行う。単一の圧着装置で、パッケージ１の上下辺及び左右辺ののり付部６を行う場合は、それぞれの辺ののり付部６の間隔に応じた調整をして圧着作業を行うことになる。
【００３８】
尚、上記説明及び特許請求の範囲の記載中の上下，左右等の表現は図面中の便宜上使用したもので、技術的にこれらに限られるものではない。
【００３９】
また、間隔調整装置３１は、上記のような構造に限定されるものではなく、転圧ローラー２８，２８の少なくとも一方（好ましくは、両方）を、ボルト等の図示しない取付具によって、ローラー軸２３に、着脱自在に取付ける構造を採用し、ローラー軸２３におけるボルト孔等の被取付部を、複数設け、転圧ローラー２８の取付位置を変更することにより、一対の転圧ローラー２８，２８の間隔を変更させてもよい。
【００４０】
さらに、このパッケージに収容されるカード７は、様々な用途のカードが想定され、本実施例で記載した用途のカードに限定されるものではない。
【００４１】
図８は本発明のパッケージ装置の圧着装置の他の実施形態を模視的に示すもので、この例では左右のフレーム２１，２２に対して上下に２本のローラー軸２４と同４８を左右方向に平行に支持し、上方のローラー軸２３に対して一対の転圧用のローラー２８を軸装し、下方のローラー軸４８に対して一対の受けローラー４９を軸装して下方のローラー軸４８を外部から回転駆動入力される駆動軸とし、その軸端にはギヤー等からなる回転入力部２７が設けられている。そしてこの例では下方の受けローラー軸４８はフレーム２１，２２に回転自在に定位置に軸支されている。
【００４２】
これに対し上方の転圧ローラー軸２４は、フレーム２１，２２の上端側に内向きに突設されたアーム部５１に吊下げ状態でリング状の軸受部２９によってフリー回転自在に軸支されている。５３は上記軸受部２９をアーム部５１に高さ調節可能に吊下げる高さ調節用のボルトで、これを回動することにより、軸受部２９を介して転圧ローラー軸２４を受けローラー軸４８に対し（即ち転圧用のローラー２８を受ローラー４９に対して）高さ調節可能な機構となっている。
【００４３】
またこの例では転圧用のローラー２８，受けローラー４９共に軸２３，４８に対して左右スライド調節可能に軸装されており、各ローラー２８，４９のボス部には軸上の左右の調節位置をセットするためのセットボルト５４が設けられている。したがって各ローラー軸２３，４８はスプライン軸又はキー等によってローラー２８，４９を軸と一体回転させ且つ左右スライド調節可能に嵌合している。尚この装置では受けローラー４９は必ずしも左右２個である必要はなく、左右方向に長寸の一体型ローラーであってもよく、その場合は受けローラー４９の間隔調整は不要となる。
【００４４】
上記のように構成される圧着装置では、回転駆動される受けローラー４９を転圧用のローラー２８との間にパッケージ１の両端ののり付部６を挟み込ませるように供給することによって、受けローラー４９の回転に転圧ローラー２８が連れ回り回転しながら、パッケージ１を転圧圧着することが可能であり、高さ調節用のボルト５３により、ローラー２８，４９間の間隙を調節することにより、のり付部６の押圧力も調節することができる。この例の圧着装置は図５の圧着部４２，４３に設置することにより、前述した搬送ライン４１中に組み込んで使用することができる。
【符号の説明】
【００４５】
１    パッケージ
２    カバー部
２ａ，２ｂ    左右のカバー部（一対のカバー部）
３    折目
９，１１    ミシン目
１２    エンボス加工（部）
２６    回転軸
２８    転圧用のローラー
３１    調節装置
４１    搬送ライン
４２    第１圧着部
４３    第２圧着部
４４    方向転換部
４６    搬送ガイド
４７    搬送帯（ベルト）
【図１】
0006382128.tif 000002
【図２】
0006382128.tif 000003
【図３】
0006382128.tif 000004
【図４】
0006382128.tif 000005
【図５】
0006382128.tif 000006
【図６】
0006382128.tif 000007
【図７】
0006382128.tif 000008
【図８】
0006382128.tif 000009